(57)【要約】【課題】フレーム期間中に走査に応じて移動する黒表示領域を挿入する駆動方法を用いた表示駆動装置及びこれを備えた表示装置において、黒表示領域を視認され難くする。【解決手段】表示パネル１１０に２次元配列された複数の表示画素ＥＭのうち、表示データの書込動作のために選択ドライバ１２０により順次選択状態に設定される行の表示画素ＥＭに対して、電源ラインＶＬを介して非表示状態とするローレベルの電源電圧Ｖlowを印加して黒表示領域とし、表示領域の表示画素ＥＭに対してハイレベルの電源電圧Ｖhighを印加して表示状態とし、書込動作に隣接する行の表示画素ＥＭに対して、ハイレベルの電源電圧Ｖhighより低い中間レベルの電源電圧Ｖmidを印加して、表示輝度を、書き込まれた駆動信号に対応した輝度より低い輝度になるように設定して、隣接する表示領域の輝度より低くする。【選択図】      図１１
2010224573.tif 000002
【特許請求の範囲】
【請求項１】
複数の行及び列に沿って複数の表示画素が２次元配列された表示パネルを表示駆動する表示駆動装置であって、
前記複数の表示画素に電源電圧を供給する電源駆動部を備え、
前記電源駆動部は、前記表示パネルにおける、選択状態とされて表示データに基づく駆動信号が書き込まれる行を含む領域を書込領域に設定し、該書込領域の前記表示画素に、該表示画素を非表示動作状態とする非表示動作用電源電圧を供給し、前記表示パネルにおける、前記書込領域に隣接する行を含む領域を指定領域に設定し、該指定領域の前記表示画素に指定領域用電源電圧を供給し、前記表示パネルにおける、前記書込領域及び前記指定領域以外の領域の前記表示画素に、当該表示画素における表示輝度が、書き込まれた前記駆動信号に対応した輝度となる、表示動作用電源電圧を供給し、
前記指定領域用電源電圧は、前記駆動信号が書き込まれた前記表示画素に前記表示動作用電源電圧が供給されて当該表示画素が第１の発光輝度で発光して発光動作状態となるときに、当該表示画素に前記指定領域用電源電圧を供給したときの当該表示画素の発光輝度が前記第１の発光輝度より低い第２の輝度となる電位に設定されていることを特徴とする表示駆動装置。
【請求項２】
前記表示駆動装置は、更に、
前記表示パネルの各行の前記表示画素に選択信号を順次印加して、前記複数の表示画素を行毎に前記選択状態に設定する選択駆動部と、
表示データに基づいて前記駆動信号を生成し、前記選択状態に設定された行の前記表示画素に供給するデータ駆動部と、
を備えることを特徴とする請求項１記載の表示駆動装置。
【請求項３】
前記表示パネルの各行は、隣接する行毎に順次選択状態とされ、
前記電源駆動部は、前記書込領域に隣接し、該書込領域に含まれる行が選択状態とされるより前に選択状態とされていた行を含む領域、及び、該書込領域に含まれる行が前記選択状態とされた後に前記選択状態とされる行を含む領域、の少なくとも何れか一方を前記指定領域に設定することを特徴とする請求項１又は２に記載の表示駆動装置。
【請求項４】
前記電源駆動部は、前記表示パネルの行数をｎとして、前記書込領域に設定した領域が前記表示パネルの１行目又はｎ行目を含まないとき、前記書込領域に隣接し、該書込領域に含まれる行が選択状態とされるより前に選択状態とされていた行を含む領域、及び、前記書込領域に隣接し、該書込領域に含まれる行が前記選択状態とされた後に前記選択状態とされる行を含む領域を前記指定領域に設定し、前記書込領域に設定した領域が前記表示パネルの１行目を含むとき、該書込領域に含まれる行が前記選択状態とされた後に前記選択状態とされる行を含む領域のみを前記指定領域に設定し、前記書込領域に設定した領域が前記表示パネルのｎ行目を含むとき、前記書込領域に隣接し、該書込領域に含まれる行が選択状態とされるより前に選択状態とされていた行を含む領域のみを前記指定領域に設定することを特徴とする請求項３記載の表示駆動装置。
【請求項５】
前記電源駆動部は、前記表示パネルにおける、前記選択状態とされる１行の領域を前記書込領域に設定することを特徴とする請求項１乃至４の何れかに記載の表示駆動装置。
【請求項６】
前記電源駆動部は、前記表示パネルにおける、前記書込領域に隣接し、該書込領域に含まれる行が選択状態とされるより前に選択状態とされていた１行の領域、及び、前記書込領域に隣接し、該書込領域に含まれる行が前記選択状態とされた後に前記選択状態とされる１行の領域、の少なくとも何れか一方を前記指定領域に設定することを特徴とする請求項１乃至５の何れかに記載の表示駆動装置。
【請求項７】
前記電源駆動部は、前記表示パネルの前記複数の行を、２行以上の所定の数の行を１つのグループとする複数のグループに分け、前記複数のグループにおける、前記選択状態に設定される行を含む前記グループを前記書込領域に設定し、前記書込領域に設定したグループに隣接し、該書込領域に設定したグループに含まれる行が選択状態とされるより前に選択状態とされていた行を含む、少なくとも１つの前記グループ、及び、該書込領域に設定したグループに含まれる行が前記選択状態とされた後に前記選択状態とされる行を含む、少なくとも１つの前記グループ、の少なくとも何れか一方を前記指定領域に設定することを特徴とする請求項１乃至４の何れかに記載の表示駆動装置。
【請求項８】
前記電源駆動部は、前記表示パネルの行数をｎとして、前記書込領域に設定したグループが前記表示パネルの１行目又はｎ行目を含まないとき、前記書込領域に設定したグループに隣接し、該書込領域に設定したグループに含まれる行が選択状態とされるより前に選択状態とされていた行を含む、少なくとも１つの前記グループ、及び、該書込領域に設定したグループに含まれる行が前記選択状態とされた後に前記選択状態とされる行を含む、少なくとも１つの前記グループを前記指定領域に設定し、
前記書込領域に設定したグループが前記表示パネルの１行目を含むとき、該書込領域に設定したグループに含まれる行が前記選択状態とされた後に前記選択状態とされる行を含む、少なくとも１つの前記グループのみを前記指定領域に設定し、
前記書込領域に設定したグループが前記表示パネルのｎ行目を含むとき、該書込領域に設定したグループに含まれる行が選択状態とされるより前に選択状態とされていた行を含む、少なくとも１つの前記グループのみを前記指定領域に設定することを特徴とする請求項７記載の表示駆動装置。
【請求項９】
表示データに基づく画像情報を表示する表示装置であって、
複数の行及び列に沿って複数の表示画素が２次元配列されて、前記画像情報を表示する表示パネルと、
前記表示パネルの各行の前記表示画素に選択信号を順次印加して、前記複数の表示画素を行毎に順次選択状態に設定する選択駆動部と、
前記表示データに基づいて前記駆動信号を生成し、前記選択状態に設定された行の前記表示画素に供給するデータ駆動部と、
前記表示パネルの前記複数の表示画素に電源電圧を供給する電源駆動部と、
を備え、
前記電源駆動部は、前記表示パネルにおける、前記選択駆動部により選択状態とされて表示データに基づく駆動信号が書き込まれる行を含む領域を書込領域に設定し、該書込領域の前記表示画素に、該表示画素を非表示動作状態とする非表示動作用電源電圧を供給し、前記表示パネルにおける、前記書込領域に隣接する行を含む領域を指定領域に設定し、該指定領域の前記表示画素に指定領域用電源電圧を供給し、前記表示パネルの前記複数の行における、前記書込領域及び前記指定領域以外の領域の前記表示画素に、当該表示画素における表示輝度が、書き込まれた前記駆動信号に対応した輝度となる、表示動作用電源電圧を供給し、
前記指定領域用電源電圧は、前記駆動信号が書き込まれた前記表示画素に前記表示動作用電源電圧が供給されて当該表示画素が第１の発光輝度で発光して発光動作状態となるときに、当該表示画素に前記指定領域用電源電圧を供給したときの当該表示画素の発光輝度が前記第１の発光輝度より低い第２の輝度となる電位に設定されていることを特徴とする表示装置。
【請求項１０】
前記電源駆動部は、前記書込領域に隣接し、該書込領域に含まれる行が選択状態とされるより前に選択状態とされていた行を含む領域、及び、該書込領域に含まれる行が前記選択状態とされた後に前記選択状態とされる行を含む領域、の少なくとも何れか一方を前記指定領域に設定することを特徴とする請求項９記載の表示装置。
【請求項１１】
前記電源駆動部は、前記表示パネルの前記複数の行を、２行以上の所定の数の行を１つのグループとする複数のグループに分け、前記複数のグループにおける、前記選択状態に設定される行を含む前記グループを前記書込領域に設定し、前記書込領域に設定したグループに隣接し、該書込領域に設定したグループに含まれる行が選択状態とされるより前に選択状態とされていた行を含む、少なくとも１つの前記グループ、及び、該書込領域に設定したグループに含まれる行が前記選択状態とされた後に前記選択状態とされる行を含む、少なくとも１つの前記グループ、の少なくとも何れか一方を前記指定領域に設定することを特徴とする請求項９又は１０に記載の表示装置。
【請求項１２】
表示データに基づく画像情報を表示する表示装置の表示駆動方法であって、
複数の行及び列に沿って複数の表示画素が２次元配列された表示パネルを備え、
前記表示パネルの各行の前記表示画素に選択信号を順次印加して、前記複数の表示画素を行毎に順次選択状態に設定し、
前記表示データに基づいて前記駆動信号を生成して、前記選択状態に設定された行の前記表示画素に供給し、
電源駆動部より、前記表示パネルにおける、選択状態とされて表示データに基づく駆動信号が書き込まれる行を含む領域を書込領域に設定して、該書込領域の前記表示画素に、該表示画素を非表示動作状態とする非表示動作用電源電圧を供給し、前記表示パネルにおける、前記書込領域に隣接する行を含む領域を指定領域に設定して、該指定領域の前記表示画素に指定領域用電源電圧を供給し、前記表示パネルの前記複数の行における、前記書込領域及び前記指定領域以外の領域の前記表示画素に、当該表示画素における表示輝度が、書き込まれた前記駆動信号に対応した輝度となる、表示動作用電源電圧を供給し、
前記指定領域用電源電圧を、前記駆動信号が書き込まれた前記表示画素に前記表示動作用電源電圧が供給されて当該表示画素が第１の発光輝度で発光して発光動作状態となるときに、当該表示画素に前記指定領域用電源電圧を供給したときの当該表示画素の発光輝度が前記第１の発光輝度より低い第２の輝度となる電位に設定することを特徴とする表示装置の表示駆動方法。
【請求項１３】
前記電源駆動部は、前記書込領域に隣接し、該書込領域に含まれる行が選択状態とされるより前に選択状態とされていた行を含む領域、及び、該書込領域に含まれる行が前記選択状態とされた後に前記選択状態とされる行を含む領域、の少なくとも何れか一方を前記指定領域に設定することを特徴とする請求項１２記載の表示装置の表示駆動方法。
【請求項１４】
前記電源駆動部は、
前記表示パネルの前記複数の行を、２行以上の所定の数の行を１つのグループとする複数のグループに分け、
前記複数のグループにおける、前記選択状態に設定される行を含む前記グループを前記書込領域に設定し、
前記書込領域に設定したグループに隣接し、該書込領域に設定したグループに含まれる行が選択状態とされるより前に選択状態とされていた行を含む、少なくとも１つの前記グループ、及び、該書込領域に設定したグループに含まれる行が前記選択状態とされた後に前記選択状態とされる行を含む、少なくとも１つの前記グループ、の少なくとも何れか一方を前記指定領域に設定する、
ことを特徴とする請求項１２記載の表示装置の表示駆動方法。
【発明の詳細な説明】
【技術分野】
【０００１】
本発明は、表示駆動装置、表示装置及びその表示駆動方法に関し、特に、アクティブマトリックス型の駆動方式に対応した表示パネルを駆動するための表示駆動装置、及び、該表示駆動装置を備えた表示装置、並びに、その表示駆動方法に関する。
【背景技術】
【０００２】
近年、パーソナルコンピュータや映像機器のモニタやディスプレイとして、また、携帯電話やデジタルオーティオプレーヤー、デジタルカメラ、電子辞書等の携帯機器（モバイル機器）の表示デバイスとして、液晶表示装置（ＬＣＤ）や、有機エレクトロルミネッセンス素子（有機ＥＬ素子）等の自発光素子を２次元配列した表示パネルを備えた表示装置（発光素子型の表示装置）が広く適用されている。
【０００３】
特に、アクティブマトリックス型の駆動方式を適用した発光素子型の表示装置においては、液晶表示装置に比較して、表示応答速度が速く、視野角依存性も小さいという優れた表示特性を有しているとともに、液晶表示装置のようにバックライトや導光板を必要としないという装置構成上の特徴を有している。そのため、次世代の表示デバイスとして、今後様々な電子機器への適用が期待されている。
【０００４】
一般に、液晶表示装置や発光素子型の表示装置のようなアクティブマトリックス型の表示装置における駆動制御方法は、各行の表示画素を順次選択状態に設定し、当該選択タイミングに同期して、表示データに応じた階調電圧を印加して表示データを書込み、各表示画素に書き込まれた（保持された）電圧成分に基づいて、各表示画素における階調表示が行われる。すなわち、液晶表示装置においては書き込まれた電圧成分に応じて液晶分子の配向状態が制御され、発光素子型の表示装置においては、書き込まれた電圧成分に応じて発光素子の発光輝度が制御されて、表示パネルに表示データに応じた所望の画像情報が表示される。
【０００５】
このようなアクティブマトリックス型の表示装置の表示動作においては、従来、一つのフレームの表示データが書き込まれた後、次のフレームの表示データが書き込まれて書き換えが行われるまで、前フレームにおいて書き込まれた表示データに応じた表示動作が保持されるホールド型の表示駆動制御が行われていた。この場合、静止画像の表示動作においてはちらつきが生じにくいという特性を有しているものの、動画像の表示動作においては前のフレーム期間に表示された画像情報が残像として視認されやすくなり、画像情報のボケやにじみを生じ、表示画質の劣化を招くという問題を有していた。
【０００６】
そこで、液晶表示装置や発光素子型の表示装置において、上述した動画像の表示動作におけるボケやにじみを抑制して表示画質を向上させる表示駆動方法として、上記表示データに応じた表示動作に加え、例えば１フレーム期間中の一部の期間において、各行の表示画素を非表示動作状態に設定することによる黒表示期間を設けて、動画像の表示品質を向上させる手法（擬似インパルス型の表示駆動方法）が用いられることがある。このような表示装置の駆動制御方法については、例えば、特許文献１等に詳しく記載されている。
【先行技術文献】
【特許文献】
【０００７】
【特許文献１】特開２００４−２６４４８１号公報  （第１７頁〜第１８頁、図６）
【発明の概要】
【発明が解決しようとする課題】
【０００８】
上述した擬似インパルス型の表示駆動方法においては、表示画素を非表示動作状態に設定することによって形成される非表示領域が表示領域中に挿入されて、順次移動するように構成されるため、例えば３０Ｈｚ程度の比較的低いフレーム周波数で駆動した場合、表示領域中に挿入される黒表示領域がフリッカーとして人間の視覚に認識されてしまうため、一般に、６０Ｈｚ以上の比較的高いフレーム周波数で駆動することが必要となる。
【０００９】
しかしながら、フレーム周波数を比較的高く設定した場合であっても、人間の視線が素早く移動した場合等においては黒表示領域が視認されてしまうことがあり、表示品位の低下として認識されてしまう場合があるという問題を有していた。
【００１０】
そこで、本発明は、上述した問題点に鑑み、アクティブマトリックス型の駆動方式に対応した表示パネルに対して、フレーム期間中に黒表示領域を挿入する駆動方法を用いた場合において、黒表示領域を視認され難くすることができる表示駆動装置、及び、該表示駆動装置を備えた表示装置、並びに、その表示駆動方法を提供することを目的とする。
【課題を解決するための手段】
【００１１】
請求項１記載の発明は、複数の行及び列に沿って複数の表示画素が２次元配列された表示パネルを表示駆動する表示駆動装置であって、前記複数の表示画素に電源電圧を供給する電源駆動部を備え、前記電源駆動部は、前記表示パネルにおける、選択状態とされて表示データに基づく駆動信号が書き込まれる行を含む領域を書込領域に設定し、該書込領域の前記表示画素に、該表示画素を非表示動作状態とする非表示動作用電源電圧を供給し、前記表示パネルにおける、前記書込領域に隣接する行を含む領域を指定領域に設定し、該指定領域の前記表示画素に指定領域用電源電圧を供給し、前記表示パネルにおける、前記書込領域及び前記指定領域以外の領域の前記表示画素に、当該表示画素における表示輝度が、書き込まれた前記駆動信号に対応した輝度となる、表示動作用電源電圧を供給し、前記指定領域用電源電圧は、前記駆動信号が書き込まれた前記表示画素に前記表示動作用電源電圧が供給されて当該表示画素が第１の発光輝度で発光して発光動作状態となるときに、当該表示画素に前記指定領域用電源電圧を供給したときの当該表示画素の発光輝度が前記第１の発光輝度より低い第２の輝度となる電位に設定されていることを特徴とする。
【００１２】
請求項２に記載の発明は、請求項１記載の表示駆動装置において、前記表示駆動装置は、更に、前記表示パネルの各行の前記表示画素に選択信号を順次印加して、前記複数の表示画素を行毎に前記選択状態に設定する選択駆動部と、表示データに基づいて前記駆動信号を生成し、前記選択状態に設定された行の前記表示画素に供給するデータ駆動部と、を備えることを特徴とする。
【００１３】
請求項３に記載の発明は、請求項１又は２に記載の表示駆動装置において、前記表示パネルの各行は、隣接する行毎に順次選択状態とされ、前記電源駆動部は、前記書込領域に隣接し、該書込領域に含まれる行が選択状態とされるより前に選択状態とされていた行を含む領域、及び、該書込領域に含まれる行が前記選択状態とされた後に前記選択状態とされる行を含む領域、の少なくとも何れか一方を前記指定領域に設定することを特徴とする。
請求項４に記載の発明は、請求項３記載の表示駆動装置において、前記電源駆動部は、前記表示パネルの行数をｎとして、前記書込領域に設定した領域が前記表示パネルの１行目又はｎ行目を含まないとき、前記書込領域に隣接し、該書込領域に含まれる行が選択状態とされるより前に選択状態とされていた行を含む領域、及び、前記書込領域に隣接し、該書込領域に含まれる行が前記選択状態とされた後に前記選択状態とされる行を含む領域を前記指定領域に設定し、前記書込領域に設定した領域が前記表示パネルの１行目を含むとき、該書込領域に含まれる行が前記選択状態とされた後に前記選択状態とされる行を含む領域のみを前記指定領域に設定し、前記書込領域に設定した領域が前記表示パネルのｎ行目を含むとき、前記書込領域に隣接し、該書込領域に含まれる行が選択状態とされるより前に選択状態とされていた行を含む領域のみを前記指定領域に設定することを特徴とする。
【００１４】
請求項５に記載の発明は、請求項１乃至４の何れかに記載の表示駆動装置において、前記電源駆動部は、前記表示パネルにおける、前記選択状態とされる１行の領域を前記書込領域に設定することを特徴とする。
請求項６に記載の発明は、請求項１乃至５の何れかに記載の表示駆動装置において、前記電源駆動部は、前記表示パネルにおける、前記書込領域に隣接し、該書込領域に含まれる行が選択状態とされるより前に選択状態とされていた１行の領域、及び、前記書込領域に隣接し、該書込領域に含まれる行が前記選択状態とされた後に前記選択状態とされる１行の領域、の少なくとも何れか一方を前記指定領域に設定することを特徴とする。
請求項７に記載の発明は、請求項１乃至４の何れかに記載の表示駆動装置において、前記電源駆動部は、前記表示パネルの前記複数の行を、２行以上の所定の数の行を１つのグループとする複数のグループに分け、前記複数のグループにおける、前記選択状態に設定される行を含む前記グループを前記書込領域に設定し、前記書込領域に設定したグループに隣接し、該書込領域に設定したグループに含まれる行が選択状態とされるより前に選択状態とされていた行を含む、少なくとも１つの前記グループ、及び、該書込領域に設定したグループに含まれる行が前記選択状態とされた後に前記選択状態とされる行を含む、少なくとも１つの前記グループ、の少なくとも何れか一方を前記指定領域に設定することを特徴とする。
【００１５】
請求項８に記載の発明は、請求項７記載の表示駆動装置において、前記電源駆動部は、前記表示パネルの行数をｎとして、前記書込領域に設定したグループが前記表示パネルの１行目又はｎ行目を含まないとき、前記書込領域に設定したグループに隣接し、該書込領域に設定したグループに含まれる行が選択状態とされるより前に選択状態とされていた行を含む、少なくとも１つの前記グループ、及び、該書込領域に設定したグループに含まれる行が前記選択状態とされた後に前記選択状態とされる行を含む、少なくとも１つの前記グループを前記指定領域に設定し、前記書込領域に設定したグループが前記表示パネルの１行目を含むとき、該書込領域に設定したグループに含まれる行が前記選択状態とされた後に前記選択状態とされる行を含む、少なくとも１つの前記グループのみを前記指定領域に設定し、前記書込領域に設定したグループが前記表示パネルのｎ行目を含むとき、該書込領域に設定したグループに含まれる行が選択状態とされるより前に選択状態とされていた行を含む、少なくとも１つの前記グループのみを前記指定領域に設定することを特徴とする。
【００１６】
請求項９に記載の発明は、表示データに基づく画像情報を表示する表示装置であって、複数の行及び列に沿って複数の表示画素が２次元配列されて、前記画像情報を表示する表示パネルと、前記表示パネルの各行の前記表示画素に選択信号を順次印加して、前記複数の表示画素を行毎に順次選択状態に設定する選択駆動部と、前記表示データに基づいて前記駆動信号を生成し、前記選択状態に設定された行の前記表示画素に供給するデータ駆動部と、前記表示パネルの前記複数の表示画素に電源電圧を供給する電源駆動部と、を備え、前記電源駆動部は、前記表示パネルにおける、前記選択駆動部により選択状態とされて表示データに基づく駆動信号が書き込まれる行を含む領域を書込領域に設定し、該書込領域の前記表示画素に、該表示画素を非表示動作状態とする非表示動作用電源電圧を供給し、前記表示パネルにおける、前記書込領域に隣接する行を含む領域を指定領域に設定し、該指定領域の前記表示画素に指定領域用電源電圧を供給し、前記表示パネルの前記複数の行における、前記書込領域及び前記指定領域以外の領域の前記表示画素に、当該表示画素における表示輝度が、書き込まれた前記駆動信号に対応した輝度となる、表示動作用電源電圧を供給し、前記指定領域用電源電圧は、前記駆動信号が書き込まれた前記表示画素に前記表示動作用電源電圧が供給されて当該表示画素が第１の発光輝度で発光して発光動作状態となるときに、当該表示画素に前記指定領域用電源電圧を供給したときの当該表示画素の発光輝度が前記第１の発光輝度より低い第２の輝度となる電位に設定されていることを特徴とする。
【００１７】
請求項１０に記載の発明は、請求項９記載の表示装置において、前記電源駆動部は、前記書込領域に隣接し、該書込領域に含まれる行が選択状態とされるより前に選択状態とされていた行を含む領域、及び、該書込領域に含まれる行が前記選択状態とされた後に前記選択状態とされる行を含む領域、の少なくとも何れか一方を前記指定領域に設定することを特徴とする。
【００１８】
請求項１１に記載の発明は、請求項９又は１０に記載の表示装置において、前記電源駆動部は、前記表示パネルの前記複数の行を、２行以上の所定の数の行を１つのグループとする複数のグループに分け、前記複数のグループにおける、前記選択状態に設定される行を含む前記グループを前記書込領域に設定し、前記書込領域に設定したグループに隣接し、該書込領域に設定したグループに含まれる行が選択状態とされるより前に選択状態とされていた行を含む、少なくとも１つの前記グループ、及び、該書込領域に設定したグループに含まれる行が前記選択状態とされた後に前記選択状態とされる行を含む、少なくとも１つの前記グループ、の少なくとも何れか一方を前記指定領域に設定することを特徴とする。
【００１９】
請求項１２に記載の発明は、表示データに基づく画像情報を表示する表示装置の表示駆動方法であって、複数の行及び列に沿って複数の表示画素が２次元配列された表示パネルを備え、前記表示パネルの各行の前記表示画素に選択信号を順次印加して、前記複数の表示画素を行毎に順次選択状態に設定し、前記表示データに基づいて前記駆動信号を生成して、前記選択状態に設定された行の前記表示画素に供給し、電源駆動部より、前記表示パネルにおける、選択状態とされて表示データに基づく駆動信号が書き込まれる行を含む領域を書込領域に設定して、該書込領域の前記表示画素に、該表示画素を非表示動作状態とする非表示動作用電源電圧を供給し、前記表示パネルにおける、前記書込領域に隣接する行を含む領域を指定領域に設定して、該指定領域の前記表示画素に指定領域用電源電圧を供給し、前記表示パネルの前記複数の行における、前記書込領域及び前記指定領域以外の領域の前記表示画素に、当該表示画素における表示輝度が、書き込まれた前記駆動信号に対応した輝度となる、表示動作用電源電圧を供給し、前記指定領域用電源電圧を、前記駆動信号が書き込まれた前記表示画素に前記表示動作用電源電圧が供給されて当該表示画素が第１の発光輝度で発光して発光動作状態となるときに、当該表示画素に前記指定領域用電源電圧を供給したときの当該表示画素の発光輝度が前記第１の発光輝度より低い第２の輝度となる電位に設定することを特徴とする。
【００２０】
請求項１３に記載の発明は、請求項１２に記載の表示装置の表示駆動方法において、前記電源駆動部は、前記書込領域に隣接し、該書込領域に含まれる行が選択状態とされるより前に選択状態とされていた行を含む領域、及び、該書込領域に含まれる行が前記選択状態とされた後に前記選択状態とされる行を含む領域、の少なくとも何れか一方を前記指定領域に設定することを特徴とする。
【００２１】
請求項１４に記載の発明は、請求項１２記載の表示装置の表示駆動方法において、前記電源駆動部は、前記表示パネルの前記複数の行を、２行以上の所定の数の行を１つのグループとする複数のグループに分け、前記複数のグループにおける、前記選択状態に設定される行を含む前記グループを前記書込領域に設定し、前記書込領域に設定したグループに隣接し、該書込領域に設定したグループに含まれる行が選択状態とされるより前に選択状態とされていた行を含む、少なくとも１つの前記グループ、及び、該書込領域に設定したグループに含まれる行が前記選択状態とされた後に前記選択状態とされる行を含む、少なくとも１つの前記グループ、の少なくとも何れか一方を前記指定領域に設定する、ことを特徴とする。
【発明の効果】
【００２２】
本発明に係る表示駆動装置、表示装置及びその表示駆動方法によれば、アクティブマトリックス型の駆動方式に対応した表示パネルに対して、フレーム期間中に黒表示領域を挿入する駆動方法を用いた場合において、黒表示領域を視認され難くすることができる。
【図面の簡単な説明】
【００２３】
【図１】本発明に係る表示装置の全体構成の一例を示す概略ブロック図である。
【図２】第１の実施形態に係る表示装置に適用される表示パネル及びその周辺回路の一例を示す要部構成図である。
【図３】第１の実施形態に係る表示装置に適用される表示画素の一実施形態を示す回路構成図である。
【図４】第１の実施形態に係る表示装置に適用される電源ドライバの一例を示す概略構成図である。
【図５】第１の実施形態に係る表示装置に適用可能なデータドライバの一例を示す概略ブロック図である。
【図６】第１の実施形態に係る表示装置に適用される表示画素における書込動作、発光動作及び中間発光動作を示すタイミングチャートである。
【図７】第１の実施形態に係る表示画素における書込動作及び発光動作を示す概念図である。
【図８】第１の実施形態に係る表示画素における中間発光動作を示す概念図である。
【図９】表示画素の発光動作時及び中間発光動作持における駆動制御トランジスタの動作特性及び有機ＥＬ素子の負荷特性を示す図である。
【図１０】第１の実施形態に係る表示装置の表示駆動方法の一例を示すタイミングチャートである。
【図１１】第１の実施形態に係る表示装置の表示駆動方法を説明するための動作概念図ある。
【図１２】第２の実施形態に係る表示装置に適用される表示パネル及びその周辺回路の一例を示す要部構成図である。
【図１３】第２の実施形態に係る表示装置に適用される電源ドライバの一例を示す概略構成図である。
【図１４】第２の実施形態に係る表示装置の表示駆動方法の一例を示すタイミングチャートである。
【図１５】第２の実施形態に係る表示装置の表示駆動方法を説明するための動作概念図ある。
【発明を実施するための形態】
【００２４】
以下、本発明に係る表示駆動装置、表示装置及びその表示駆動方法について、実施の形態を示して詳しく説明する。
＜第１の実施形態＞
＜表示装置＞
まず、本発明に係る表示装置の概略構成について、図面を参照して説明する。
図１は、本発明に係る表示装置の全体構成の一例を示す概略ブロック図であり、図２は、第１の実施形態に係る表示装置に適用される表示パネル及びその周辺回路（選択ドライバ、データドライバ、電源ドライバ）の一例を示す要部構成図である。
【００２５】
なお、以下に示す実施形態においては、表示パネルとして、発光素子を備えた複数の表示画素を２次元配列した構成を有し、各表示画素が表示データ（映像データ）に応じた輝度階調で発光動作することにより画像情報を表示する発光素子型の表示装置について説明するが、本発明はこれに限定されるものではなく、液晶表示装置のように、各表示画素が表示データに応じて階調制御（階調状態に設定）され、透過光や反射光により所望の画像情報を階調表示（表示動作）する表示装置であってもよい。
【００２６】
図１、図２に示すように、本実施形態に係る表示装置１００は、概略、表示領域内に、行、列方向に相互に直交するように配設された複数の選択ラインＳＬ（ＳＬ１〜ＳＬｎ）及び複数のデータラインＤＬと、各選択ラインＳＬと各データラインＤＬの各交点近傍に配列された、後述する画素駆動回路ＤＣ及び発光素子（有機ＥＬ素子ＯＬＥＤ）を備えた複数の表示画素ＥＭと、各行の選択ラインＳＬに並行に配設された複数の電源ラインＶＬ（ＶＬ１〜ＶＬｎ）と、を有する表示パネル１１０と、該表示パネル１１０の各選択ラインＳＬに接続され、各選択ラインＳＬに所定のタイミングで選択レベル（ハイレベル）の選択信号Ｖselを順次印加して、各行の表示画素ＥＭを順次選択状態に設定する選択ドライバ（選択駆動部）１２０と、該表示パネル１１０の各電源ラインＶＬに接続され、各電源ラインＶＬに所定のタイミングで電源電圧Ｖscを印加する電源ドライバ（電源駆動部）１３０と、表示パネル１１０の各データラインＤＬに接続され、表示データに応じた階調信号（階調電圧Ｖdata；駆動信号）を、各データラインＤＬを介して表示画素ＥＭへ供給するデータドライバ（データ駆動部）１４０と、後述する表示信号生成回路１６０から供給されるタイミング信号に基づいて、少なくとも上記選択ドライバ１２０及び電源ドライバ１３０、データドライバ１４０の動作状態を制御して、表示パネル１１０における所定の表示駆動制御を実行するための選択制御信号及び電源制御信号、データ制御信号を生成して出力するシステムコントローラ１５０と、例えば、表示装置１００の外部から供給される映像信号に基づいて、表示データ（輝度階調データ）を生成してデータドライバ１４０に供給するとともに、該表示データに基づいて表示パネル１１０に所定の画像情報を表示するためのタイミング信号（システムクロック等）を抽出、又は、生成してシステムコントローラ１５０に供給する表示信号生成回路１６０と、を備えて構成されている。
【００２７】
以下、上記各構成について具体的に説明する。
（表示パネル・表示画素）
図３は、本実施形態に係る表示装置に適用される表示画素（画素駆動回路及び発光素子）の一実施形態を示す回路構成図である。なお、本実施形態においては、データラインに表示データに応じた電圧値を有する階調電圧を印加して、各表示画素に設けられた発光素子に表示データに応じた発光駆動電流を流して、所望の輝度階調で発光動作（表示動作）させる電圧指定型の階調制御方式を用いる場合について説明するが、本発明はこれに限定されるものではなく、例えば、表示データに応じた電流値を有する階調電圧をデータラインに印加して、各表示画素の発光素子に表示データに応じた電流値の発光駆動電流を流して、所望の輝度階調で発光動作させる電流指定型の階調制御方式を用いるものであってもよい。
【００２８】
本実施形態に係る表示装置１００に適用される表示パネル１１０は、表示領域内に、複数の表示画素ＥＭが、行、列方向に２次元配列（ｎ行×ｍ列；ｎ、ｍは正の整数）され、後述する表示駆動方法に示すように、選択状態に設定された各行の表示画素ＥＭに対して、非表示動作状態（非発光動作状態）で表示データの書込動作が順次実行されるとともに、当該書込動作に同期して、当該書込動作が実行される行（以下、便宜的に「書込ライン」と記す；書込行）に隣接した行（以下、便宜的に「指定ライン」と記す；指定行）の表示画素ＥＭを、発光輝度が隣接ずる表示状態（発光動作状態）の行の表示画素ＥＭの発光輝度より相対的に低くされた、中間表示状態（中間発光動作状態）に設定し、これら以外の（書込動作がすでに終了している）行の表示画素ＥＭを表示状態（発光動作状態）に設定するように制御される。ここで、表示画素ＥＭの表示状態（発光動作状態）、中間表示状態（中間発光動作状態）及び非表示動作状態（非発光動作状態）は、各行ごとの表示画素ＥＭに対して供給される電源電圧Ｖscを適宜変えることにより設定される。詳しくは後述する。
【００２９】
また、本実施形態に係る表示パネル１１０に配列される表示画素ＥＭは、例えば、図３に示すように、概略、選択ドライバ１２０から印加される選択信号Ｖselに基づいて表示画素ＥＭを選択状態に設定し、当該選択状態においてデータドライバ１４０から供給される階調電圧Ｖdataに応じて流れる書込電流Ｉａを取り込み、該階調電圧に応じた発光駆動電流を生成する画素駆動回路ＤＣと、該画素駆動回路ＤＣから供給される発光駆動電流に基づいて、所定の輝度階調で発光動作する周知の有機ＥＬ素子（電流制御型の発光素子）ＯＬＥＤと、を備えた構成を適用することができる。
【００３０】
本実施形態に係る画素駆動回路ＤＣは、例えば図３に示すように、ゲート端子が選択ラインＳＬに、ドレイン端子が電源ラインＶＬに、ソース端子が接点Ｎ１１に各々接続されたトランジスタＴｒ１１と、ゲート端子が選択ラインＳＬに、ソース端子がデータラインＤＬに、ドレイン端子が接点Ｎ１２に各々接続されたトランジスタＴｒ１２と、ゲート端子が接点Ｎ１１に、ドレイン端子が電源電圧ライン（電源線）ＶＬに、ソース端子が接点Ｎ１２に各々接続されたトランジスタ（駆動制御トランジスタ）Ｔｒ１３と、接点Ｎ１１及び接点Ｎ１２間（駆動制御トランジスタＴｒ１３のゲート−ソース間）に接続されたキャパシタＣｓと、を備えている。
【００３１】
有機ＥＬ素子ＯＬＥＤは、アノード端子（アノード電極）が上記画素駆動回路ＤＣの接点Ｎ１２に接続され、カソード端子（カソード電極）には所定の低電位の共通電圧Ｖcomが印加されている。ここで、共通電圧Ｖcomは、表示データに応じた階調信号（階調電圧Ｖdata）が当該表示画素ＥＭ（画素駆動回路ＤＣ）に供給される書込動作期間においては、ローレベルに設定される電源電圧Ｖsc（＝Ｖlow：第１の電源電圧、非表示動作用電源電圧）と等電位であるか、あるいは、当該電源電圧Ｖscよりも高い電位であり、有機ＥＬ素子（発光素子）ＯＬＥＤに発光駆動電流が供給されて所定の輝度階調で発光動作する発光動作期間においては、ハイレベルに設定される電源電圧Ｖsc（＝Ｖhigh：第３の電源電圧、表示動作用電源電圧）よりも低電位の、任意の電位（例えば、接地電位Ｖgnd）に設定されている（Ｖlow≦Ｖcom＜Ｖhigh）。また、共通電圧Ｖcomは、表示パネル１１０にマトリクス状に配列された複数の表示画素ＥＭに対して共通に印加される。
【００３２】
なお、図３において、トランジスタＴｒ１１〜Ｔｒ１３については、特に限定するものではないが、例えば全て同一のチャネル型を有する周知の薄膜トランジスタ構造を有する電界効果型トランジスタを適用することができる。トランジスタＴｒ１１〜Ｔｒ１３は、アモルファスシリコン薄膜トランジスタであっても、ポリシリコン薄膜トランジスタであってもよい。
【００３３】
ここで、図３に示したように、トランジスタＴｒ１１〜Ｔｒ１３をｎチャネル型アモルファスシリコン薄膜トランジスタにより構成することにより、すでに確立されたアモルファスシリコン製造技術を適用して、動作特性（電子移動度等）が均一で安定したトランジスタからなる画素駆動回路を、比較的簡易な製造プロセスで製造することができる。また、キャパシタＣｓは、駆動制御トランジスタＴｒ１３のゲート−ソース間に形成される寄生容量であってもよいし、該寄生容量に加えて接点Ｎ１１及び接点Ｎ１２間に容量素子を付加的に接続したものであってもよい。
【００３４】
また、上述した表示画素ＥＭにおいては、画素駆動回路ＤＣとして３個のトランジスタＴｒ１１〜Ｔｒ１３を備えた回路構成を示したが、本発明はこの実施形態に限定されるものではなく、２個以上のトランジスタを備えた他の回路構成を有するものであってもよい。また、画素駆動回路ＤＣにより発光駆動される発光素子として有機ＥＬ素子ＯＬＥＤを適用した場合を示したが、本発明はこれに限定されるものではなく、電流制御型の発光素子であれば、例えば、発光ダイオード等の他の発光素子であってもよい。さらに、本実施形態においては、画素駆動回路ＤＣにより電流制御型の発光素子を発光駆動する場合について説明するが、表示データに応じた電圧成分を生成して、電圧制御型の発光素子を発光駆動する構成や、液晶分子の配向状態を変化させる回路構成を有するものであってもよい。
【００３５】
（選択ドライバ）
選択ドライバ１２０は、システムコントローラ１５０から供給される選択制御信号に基づいて、各選択ラインＳＬに選択レベル（上述した表示画素ＥＭにおいては、ハイレベル）の選択信号Ｖselを印加することにより、各行の表示画素ＥＭを選択状態に設定する。具体的には、各行の選択ラインＳＬに選択信号Ｖselを印加する動作を、所定のタイミングで順次実行することにより、表示パネル１１０に配列された各行の表示画素ＥＭを順次選択状態に設定する。
【００３６】
ここで、選択ドライバ１２０は、例えば図２に示すように、後述するシステムコントローラ１５０から選択制御信号として供給される走査クロック信号ＳＣＫ及び走査スタート信号ＳＳＴに基づいて、各行の選択ラインＳＬに対応するシフト信号を順次出力する周知のシフトレジスタ１２１と、該シフトレジスタ１２１から出力されるシフト信号を所定の信号レベル（選択レベル）に変換して、システムコントローラ１５０から選択制御信号として供給される出力制御信号ＳＯＥに基づいて、各選択ラインＳＬに選択信号Ｖselとして出力する出力回路部（出力バッファ）１２２と、を備えている。
【００３７】
（電源ドライバ）
図４は、本実施形態に係る表示装置に適用される電源ドライバの一例を示す概略構成図である。電源ドライバ１３０は、システムコントローラ１５０から供給される電源制御信号に基づいて、各行の表示画素ＥＭに対して、発光動作時（表示動作時）にハイレベルの電源電圧Ｖsc（＝Ｖhigh：第３の電源電圧、表示動作用電源電圧）を当該行の電源ラインＶＬに印加し、非発光動作時（非表示動作時）にはローレベルの電源電圧Ｖsc（＝Ｖlow：第１の電源電圧、非表示動作用電源電圧）を当該行の電源ラインＶＬに印加し、中間発光動作時（中間表示動作時）には、ハイレベルの電源電圧Ｖhighとローレベルの電源電圧Ｖlowの間の電圧値を有する中間レベルの電源電圧Ｖsc（＝Ｖmid：第２の電源電圧、指定領域用電源電圧）を当該行の電源ラインＶＬに印加する。ここで、詳しくは後述するように、ハイレベルの電源電圧Ｖhighは、画素駆動回路ＤＣの駆動制御トランジスタＴｒ１３が飽和領域で動作する電圧レベルに設定され、中間レベルの電源電圧Ｖmidは、駆動制御トランジスタＴｒ１３が線形領域で動作する電圧レベルに設定される。
【００３８】
すなわち、本実施形態に係る表示装置においては、表示パネル１１０に２次元配列された複数の表示画素ＥＭのうち、表示データの書込動作のために上記選択ドライバ１２０により選択状態に設定された行（書込ライン）に対応する領域（書込領域）の表示画素ＥＭに対して、当該行の電源ラインＶＬを介してローレベルの電源電圧Ｖsc（＝Ｖlow）を印加する動作と、書込ラインに隣接する行に対応する領域（指定領域）の表示画素ＥＭに対して、当該行の電源ラインＶＬを介して中間レベルの電源電圧Ｖsc（＝Ｖmid）を印加する動作が、表示パネル１１０の全ての行に対して順次実行される。これにより、表示データの書込動作が実行される書込ラインの表示画素ＥＭが、当該書込動作期間中は非発光動作状態（非表示動作状態）に設定され、書込ラインに隣接する行の表示画素ＥＭが、当該書込動作期間中は中間発光動作状態（中間表示動作状態）に設定され、それ以外の（書込動作が終了した）全ての行の表示画素ＥＭは、各行の電源ラインＶＬを介してハイレベルの電源電圧Ｖsc（＝Ｖhigh）が印加されて発光動作状態（階調表示動作状態）に設定される。
【００３９】
図４（ａ）に示すように、電源ドライバ１３０は、システムコントローラ１５０から電源制御信号として供給されるクロック信号ＶＣＫ及びスタート信号ＶＳＴに基づいて、各行の電源ラインＶＬに対応するシフト信号を順次出力する周知のシフトレジスタ回路１３１と、シフト信号に応じて、所定の電圧レベル（電圧値Ｖhigh、Ｖmid、Ｖlow）を、システムコントローラ１５０から電源制御信号として供給される出力制御信号ＶＯＥに基づいて、各電源ラインＶＬに電源電圧Ｖscとして出力する出力回路部１３２と、を備えている。
【００４０】
本実施形態の電源ドライバ１３０におけるシフトレジスタ回路１３１は、表示パネル１１０に配設される電源ラインＶＬの本数（行数ｎと同じ）に相当するｎ段に構成され、ｎ個のシフト信号を出力する。また、出力回路部１３２は、シフト信号が入力信号Ａ、Ｂ、Ｃとして印加され、入力信号に応じて電圧値Ｖhigh、Ｖmid、Ｖlowの何れかの電圧を出力信号Ｖoutとして出力するｎ個の演算回路１３３と、各演算回路１３３に対応して設けられ、出力信号Ｖoutを増幅して、出力電圧を、出力制御信号ＶＯＥに応じて各電源ラインＶＬ１〜ＶＬｎに電源電圧Ｖscとして出力する、バッファ回路からなるｎ個の増幅器ＡＰと、を有する。また、図４（ａ）に示すように、シフトレジスタ回路１３１から出力される１番目のシフト信号は１番目の演算回路１３３に入力信号Ｂとして印加されるとともに、２番目の演算回路１３３に入力信号Ａとして印加される。シフトレジスタ回路１３１から出力される２番目のシフト信号は２番目の演算回路１３３に入力信号Ｂとして印加されるとともに、１番目の演算回路１３３に入力信号Ｃとして印加され、３番目の演算回路１３３に入力信号Ｂとして印加される。シフトレジスタ回路１３１から出力される３番目のシフト信号は３番目の演算回路１３３に入力信号Ｂとして印加されるとともに、２番目の演算回路１３３に入力信号Ｂとして印加され、４番目の演算回路１３３に入力信号Ａとして印加されて、以下同様に構成されている。また、シフトレジスタ回路１３１から出力される最終のｎ番目のシフト信号はｎ番目の演算回路１３３に入力信号Ｂとして印加されるとともに、ｎ―１番目の演算回路１３３に入力信号Ｃとして印加される。なお、図示を省略したが、出力回路部１３２は、出力制御信号ＶＯＥに基づいて、各増幅器ＡＰの出力電圧を各行の電源ラインＶＬに出力するスイッチング手段が設けられている。
【００４１】
図４（ｂ）は、演算回路１３３の具体的な構成の一例を示すものであり、図４（ｃ）は、演算回路１３３の入力信号と出力信号の関係を示す表である。すなわち、演算回路１３３は、例えば、ＯＲ回路１３４と、ＮＯＲ回路１３５と、スイッチング用のトランジスタＴr５、Ｔr６、Ｔr７と、を有して構成され、ＯＲ回路１３４の第１の入力端子に入力信号Ａが印加され、ＯＲ回路１３４の第２の入力端子に入力信号Ｃが印加され、ＯＲ回路１３４の出力がスイッチング用のトランジスタＴr５の制御端子に印加される。ＮＯＲ回路１３５の第１の入力端子に入力信号Ｂが印加され、ＮＯＲ回路１３５の第２の入力端子に入力信号Ａが印加され、ＮＯＲ回路１３５の第３の入力端子に入力信号Ｃが印加され、ＮＯＲ回路１３５の出力がスイッチング用のトランジスタＴr７の制御端子に印加される。また、スイッチング用のトランジスタＴr６の制御端子に入力信号Ｂが印加される。そして、スイッチング用のトランジスタＴr５のドレイン端子には中間レベルの電源電圧Ｖmidが印加され、スイッチング用のトランジスタＴr６のドレイン端子にはローレベルの電源電圧Ｖlowが印加され、スイッチング用のトランジスタＴr７のドレイン端子にはハイレベルの電源電圧Ｖhighが印加され、スイッチング用のトランジスタＴr５、Ｔr６、Ｔr７のソース端子は共通に接続されて、出力端子に接続される。
【００４２】
図４（ｃ）に示すように、演算回路１３３は、入力信号Ａがハイレベルで、入力信号Ｂ、Ｃがローレベルであるとき、及び、入力信号Ｃがハイレベルで、入力信号Ａ、Ｂがローレベルであるとき、ＯＲ回路１３４の出力がハイレベルとなり、ＮＯＲ回路１３５の出力はローレベルとなり、トランジスタＴr５がオン状態となり、トランジスタＴr６及びＴr７はオフ状態となって、出力信号Ｖoutとして、中間レベルの電源電圧Ｖmidが出力される。また、入力信号Ｂがハイレベルで、入力信号Ａ、Ｃがローレベルであるとき、ＯＲ回路１３４及びＮＯＲ回路１３５の出力はローレベルとなり、トランジスタＴr６がオン状態となり、トランジスタＴr５及びＴr７はオフ状態となって、出力信号Ｖoutとして、ローレベルの電源電圧Ｖlowが出力される。また、入力信号Ｃがハイレベルで、入力信号Ａ、Ｂがローレベルであるとき、ＯＲ回路１３４の出力はローレベルとなり、ＮＯＲ回路１３５の出力はハイレベルとなって、出力信号Ｖoutとして、中間レベルの電源電圧Ｖmidが出力される。
【００４３】
なお、図４に示した電源ドライバ１３０の構成においては、書込ラインに隣接する上下各１行を指定ラインとして、これに対応する領域（指定領域）の表示画素ＥＭの電源ラインＶＬに中間レベルの電源電圧Ｖmidを印加して中間発光動作状態とする構成としたが、本発明はこれに限るものではなく、書込ラインに隣接する２行以上の複数行を指定ラインとして、対応する領域の表示画素ＥＭの電源ラインＶＬに中間レベルの電源電圧Ｖmidを印加して中間発光動作状態とするものであってもよい。これによって、非表示動作状態とされる書込ラインを更に視認され難くすることができる。
【００４４】
（データドライバ）
図５は、本実施形態に係る表示装置に適用可能なデータドライバの一例を示す概略ブロック図である。なお、図５に示すデータドライバの内部構成については、表示データに応じた電圧値を有する階調電圧を生成することができる一例を示したものに過ぎず、本発明はこれに限定されるものではない。
【００４５】
データドライバ１４０は、概略、図１、図２に示すように、システムコントローラ１５０から供給されるデータ制御信号に基づいて、後述する表示信号生成回路１６０から供給される、デジタル信号からなる表示データ（輝度階調データ）を１行分ごとに所定のタイミングで順次取り込んで保持し、該表示データの階調値に対応する電圧値を有する階調電圧Ｖdataを生成して、書込動作期間に選択状態に設定された行の表示画素ＥＭに対して、各列のデータラインＤＬを介して一斉に供給する。
【００４６】
データドライバ１４０は、例えば図５に示すように、システムコントローラ１５０から供給されるデータ制御信号（シフトクロック信号ＣＬＫ、サンプリングスタート信号ＳＴＲ）に基づいて、順次シフト信号を出力するシフトレジスタ回路１４１と、該シフト信号の入力タイミングに基づいて、表示信号生成回路１６０から供給される１行分の表示データＤ０〜Ｄｍを順次取り込むデータレジスタ回路１４２と、データ制御信号（データラッチ信号ＳＴＢ）に基づいて、データレジスタ回路１４２により取り込まれた１行分の表示データＤ０〜Ｄｍを保持するデータラッチ回路１４３と、図示を省略した電源供給手段から供給される階調基準電圧Ｖ０〜ＶＰに基づいて、上記保持された表示データＤ０〜Ｄｍを、所定のアナログ信号電圧Ｖpixに変換するＤ／Ａコンバータ１４４と、バッファ回路を有し、アナログ信号電圧Ｖpixを階調電圧Ｖdataとして、システムコントローラ１５０から供給されるデータ制御信号（出力イネ−ブル信号ＯＥ）に基づくタイミングで、当該表示データに対応する列のデータラインＤＬに一斉に出力する階調電圧供給回路１４５と、を備えた構成を有している。
【００４７】
（システムコントローラ）
システムコントローラ１５０は、少なくとも、選択ドライバ１２０及び電源ドライバ１３０、データドライバ１４０の各々に対して、動作状態を制御するタイミング制御信号として、選択制御信号及び電源制御信号、データ制御信号を生成して出力することにより、各ドライバを所定のタイミングで動作させて、所定の電圧レベルを有する選択信号Ｖsel及び電源電圧Ｖsc、並びに、表示データに応じた階調電圧Ｖdataを生成して出力させ、各表示画素ＥＭ（画素駆動回路ＤＣ）に対する駆動制御動作を実行させて、映像信号に基づく所定の画像情報を表示パネル１１０に表示させる制御を行う。
【００４８】
（表示信号生成回路）
表示信号生成回路１６０は、例えば、表示装置１００の外部から供給される映像信号から輝度階調信号成分を抽出し、表示パネル１１０の１行分ごとに、該輝度階調信号成分をデジタル信号からなる表示データ（輝度階調データ）としてデータドライバ１４０のデータレジスタ回路１４２に供給する。ここで、上記映像信号が、テレビ放送信号（コンポジット映像信号）のように、画像情報の表示タイミングを規定するタイミング信号成分を含む場合には、表示信号生成回路１６０は、上記輝度階調信号成分を抽出する機能のほか、タイミング信号成分を抽出してシステムコントローラ１５０に供給する機能を有するものであってもよい。この場合においては、上記システムコントローラ１５０は、表示信号生成回路１６０から供給されるタイミング信号に基づいて、選択ドライバ１２０や電源ドライバ１３０、データドライバ１４０に対して個別に供給する各制御信号を生成する。
【００４９】
＜表示画素の駆動方法＞
次に、本実施形態において、上述した表示パネルに適用される表示画素（図３参照）の基本動作について説明する。
【００５０】
図６は、本実施形態に係る表示装置に適用される表示画素における書込動作、発光動作及び中間発光動作を示すタイミングチャートである。図６においては、表示パネル１１０に２次元配列（ｎ行×ｍ列からなるマトリクス状に配列）された表示画素ＥＭのうちの特定の表示画素ＥＭにおける動作を示すものである。また、図７は、本実施形態に係る表示画素における書込動作及び発光動作を示す概念図であり、図８は、本実施形態に係る表示画素における中間発光動作を示す概念図である。図９は、表示画素の発光動作時及び中間発光動作持における駆動制御トランジスタの動作特性及び有機ＥＬ素子の負荷特性を示す図である。
【００５１】
本実施形態に適用される表示画素ＥＭ（画素駆動回路ＤＣ）における有機ＥＬ素子ＯＬＥＤの発光駆動制御は、概略、図６（ａ）に示すように、所定の１処理サイクル期間Ｔcyc内に、選択ラインＳＬに接続された表示画素ＥＭを選択状態に設定して、表示データに応じた電流値を有する階調電圧Ｖdataを供給することにより、画素駆動回路ＤＣに設けられた駆動制御トランジスタＴｒ１３のゲート−ソース間（キャパシタＣｓ）に、当該表示データに応じた電圧成分を保持させる書込動作期間Ｔwrtと、当該書込動作期間Ｔwrtに駆動制御トランジスタＴｒ１３のゲート−ソース間に保持された電圧成分に基づいて、表示データに応じた電流値を有する発光駆動電流Ｉｂを有機ＥＬ素子ＯＬＥＤに流して、所定の輝度階調で発光動作させる発光動作期間（表示動作期間）Ｔemと、を含むように設定されている（Ｔcyc≧Ｔwrt＋Ｔem）。
【００５２】
また、本実施形態においては、上記書込動作が実行される行（書込ライン）の表示画素ＥＭは、図６（ａ）に示すように、上記書込動作期間Ｔwrt中、有機ＥＬ素子ＯＬＥＤを発光動作させない非発光動作状態に設定される。なお、複数の表示画素ＥＭを行方向及び列方向に２次元配列した表示パネル１１０に、１フレーム期間に１画面の画像を表示する場合、上記１処理サイクル期間Ｔcycは、１フレーム期間に設定される。詳しくは、後述する表示装置の表示駆動方法において説明する。
【００５３】
（書込動作）
まず、表示画素ＥＭにおける書込動作（書込動作期間Ｔwrt）においては、図６（ａ）に示すように、選択ドライバ１２０から選択ラインＳＬに対して、選択レベル（ハイレベル）の選択信号Ｖselを印加して当該表示画素ＥＭを選択状態に設定するとともに、電源ドライバ１３０から電源ラインＶＬに対して、ローレベルの電源電圧Ｖsc（＝Ｖlow）を印加する。また、この選択タイミングに同期して、データドライバ１４０からデータラインＤＬに対して、表示データに応じた電圧値を有する階調電圧Ｖdataを供給する。
【００５４】
これにより、画素駆動回路ＤＣに設けられたトランジスタＴｒ１１及びＴｒ１２がオン動作して、ローレベルの電源電圧ＶlowがトランジスタＴｒ１１を介して駆動制御トランジスタＴｒ１３のゲート端子（接点Ｎ１１；キャパシタＣｓの一端側）に印加されるとともに、駆動制御トランジスタＴｒ１３のソース端子（接点Ｎ１２；キャパシタＣｓの他端側）がトランジスタＴｒ１２を介して、データラインＤＬに電気的に接続される。
【００５５】
このとき、トランジスタＴｒ１１がオン動作しているため、駆動制御トランジスタＴｒ１３のドレイン端子とゲート端子が接続されて、駆動制御トランジスタＴｒ１３はダイオード接続され、駆動制御トランジスタＴｒ１３のドレイン−ソース間には電圧Ｖds１（＝Ｖlow―Ｖdata）が印加されている。図９に示す実線ＳＰｗは、駆動制御トランジスタＴｒ１３としてｎチャネル型の薄膜トランジスタを適用し、ダイオード接続した場合の、ドレイン−ソース間電圧Ｖdsに対するドレイン−ソース間電流Ｉdsの特性線であり、しきい値電圧Ｖthを有し、ドレイン−ソース間電圧Ｖdsがしきい値電圧Ｖthを超えると、ドレイン−ソース間電流Ｉdsはドレイン−ソース間電圧Ｖdsの増加に伴って非線形的に増加する。そして、特性線ＳＰｗ上のドレイン−ソース間電圧ＶdsがＶds１となる点ＰＭｗが駆動トランジスタＴ１の動作点となる。
【００５６】
ここで、本実施形態においては、データラインＤＬに供給される階調電圧Ｖdataは、電源ラインＶＬに印加されるローレベルの電源電圧Ｖlowより低い電位に設定されて、図７（ａ）に示すように、電源ラインＶＬから駆動制御トランジスタＴｒ１３、接点Ｎ１２、トランジスタＴｒ１２、データラインＤＬを介してデータドライバ１４０方向に、階調電圧Ｖdataに対応した書込電流Ｉａが引き抜かれるように流れる。
【００５７】
このように、データラインＤＬ側からデータドライバ１４０方向に書込電流Ｉａを引き込む動作が行われることにより、ローレベルの電源電圧Ｖlowよりもさらに低電位の電圧レベルが駆動制御トランジスタＴｒ１３のソース端子（接点Ｎ１２；キャパシタＣｓの他端側）に印加される。このとき、キャパシタＣｓには、接点Ｎ１１及びＮ１２間（駆動制御トランジスタのＴｒ１３のゲート−ソース間）に生じた電位差に対応する電荷が蓄積され、電圧成分として保持される。また、有機ＥＬ素子ＯＬＥＤのアノード端子（接点Ｎ１２）に印加される電位はカソード端子の電位（共通電圧Ｖcom）よりも低くなり、有機ＥＬ素子ＯＬＥＤには電流が流れず発光動作は行われない。
【００５８】
（発光動作）
次いで、書込動作期間Ｔwrt終了後の発光動作（発光動作期間Ｔem）においては、図６（ａ）に示すように、選択ドライバ１２０から選択ラインＳＬに対して、非選択レベル（ローレベル）の選択信号Ｖselを印加して当該表示画素ＥＭを非選択状態に設定するとともに、電源ドライバ１３０から電源ラインＶＬに対して、ハイレベルの電源電圧Ｖsc（＝Ｖhigh）を印加する。また、この非選択タイミングに同期して、データドライバ１４０からの階調電圧Ｖdataの供給を遮断して、当該書込電流Ｉaの引き込み動作を停止する。
これにより、画素駆動回路ＤＣに設けられたトランジスタＴｒ１１及びＴｒ１２がオフ動作して、駆動制御トランジスタＴｒ１３のゲート端子（接点Ｎ１１；キャパシタＣｓの一端側）への電源電圧Ｖscの印加が遮断され、キャパシタＣｓには、上述の書込動作期間Ｔwrtにおいて蓄積された電荷が保持される。
【００５９】
このように、接点Ｎ１１及びＮ１２間（駆動制御トランジスタのＴｒ１３のゲート−ソース間；キャパシタＣｓの両端）の電位差が保持されることになり、駆動制御トランジスタＴｒ１３はオン状態を維持する。また、電源ラインＶＬには、共通電圧Ｖcom（接地電位Ｖgnd）よりも高電位のハイレベルの電源電圧Ｖhighが印加されるので、有機ＥＬ素子ＯＬＥＤのアノード端子（接点Ｎ１２）に印加される電位はカソード端子の電位（接地電位）よりも高くなる。
【００６０】
したがって、図７（ｂ）に示すように、電源ラインＶＬから駆動制御トランジスタＴｒ１３、接点Ｎ１２を介して、有機ＥＬ素子ＯＬＥＤに順バイアス方向に所定の発光駆動電流Ｉｂが流れ、有機ＥＬ素子ＯＬＥＤが発光動作する。ここで、キャパシタＣｓにより保持される電圧成分（キャパシタＣｓの両端電位Ｖｃ）は、駆動制御トランジスタＴｒ１３において階調電圧Ｖdataに対応する書込電流Ｉａを流す場合の電位差に相当するので、有機ＥＬ素子ＯＬＥＤに流れる発光駆動電流Ｉｂは、上記書込電流Ｉａと略同等の電流値（Ｉｂ≒Ｉａ）を有することになる。
【００６１】
これにより、書込動作期間Ｔwrtに書き込まれた表示データ（階調電圧Ｖdata）に対応する電圧成分に基づいて、発光動作期間Ｔem中、駆動制御トランジスタＴｒ１３を介して発光駆動電流Ｉｂが継続的に流れることになり、有機ＥＬ素子ＯＬＥＤは当該表示データに応じた輝度階調で発光する動作を継続する。
【００６２】
図９に示す実線ＳＰｈは、ゲート−ソース間電圧Ｖgsを一定電圧としたときの、ドレイン−ソース間電圧Ｖdsに対するドレイン−ソース間電流Ｉdsを示す、駆動制御トランジスタＴｒ１３の特性線である。また、実線ＳＰｅ１は、電源ラインＶＬにハイレベルの電源電圧Ｖhighが印加されているときの、有機ＥＬ素子ＯＬＥＤの負荷線を示し、電源ラインＶＬと有機ＥＬ素子ＯＬＥＤのカソード端子間の電位差、すなわちＶhigh−Ｖcomの値を基準として、有機ＥＬ素子ＯＬＥＤの駆動電圧Ｖoledに対するＯＬＥＤ駆動電流Ｉoled特性が逆向きにプロットされたものである。なお、図９中に示す点線ＳＰｏは、特性線ＳＰｗ−Ｖthとして導かれたものであり、点線ＳＰｏと特性線ＳＰｈとの交点Ｐｏはピンチオフ電圧Ｖpoを示す。ここで、図９に示すように、特性線ＳＰｈにおいて、ドレイン−ソース間電圧Ｖdsが０Ｖからピンチオフ電圧Ｖpoまでの領域は線形領域となり、ドレイン−ソース間電圧Ｖdsがピンチオフ電圧Ｖpo以上の領域は飽和領域となる。
【００６３】
発光動作時の駆動制御トランジスタＴｒ１３の動作点は、書込動作時のＰＭｗから駆動制御トランジスタＴｒ１３の特性線ＳＰｈと有機ＥＬ素子ＯＬＥＤの負荷線ＳＰｅ１の交点であるＰＭｅ１に移動する。ここで、図９に示すように、動作点ＰＭｅ１において、電源ラインＶＬと有機ＥＬ素子ＯＬＥＤのカソード端子間に印加された電圧Ｖhigh−Ｖcomの電圧が駆動制御トランジスタＴｒ１３のソース−ドレイン間と有機ＥＬ素子ＯＬＥＤのアノード・カソード間で分配され、駆動トランジスタＴ１のソース−ドレイン間に電圧Ｖds１が印加され、有機ＥＬ素子ＯＬＥＤのアノード・カソード間には駆動電圧Ｖoled１が印加される。ここで、書込動作時に駆動制御トランジスタＴｒ１３のドレイン−ソース間に流れる書込電流Ｉａと発光動作時に有機ＥＬ素子ＯＬＥＤに供給される駆動電流Ｉｂが変わらないようにするために、動作点ＰＭｅは特性線上の飽和領域内に維持されていなければならない。
【００６４】
（中間発光動作）
上記書込動作が実行される表示画素ＥＭの行（書込ライン）に隣接する行（指定ライン）の表示画素ＥＭにおいて実行される中間発光動作（中間発光動作期間Ｔmem）においては、図６（ｂ）に示すように、選択ドライバ１２０から選択ラインＳＬに対して、非選択レベル（ローレベル）の選択信号Ｖselを印加して当該表示画素ＥＭを非選択状態に設定するとともに、電源ドライバ１３０から電源ラインＶＬに対して、中間レベルの電源電圧Ｖsc（＝Ｖmid）を印加する。
【００６５】
これにより、画素駆動回路ＤＣに設けられたトランジスタＴｒ１１及びＴｒ１２がオフ動作して、駆動制御トランジスタＴｒ１３のゲート端子（接点Ｎ１１；キャパシタＣｓの一端側）への電源電圧Ｖscの印加が遮断されるとともに、駆動制御トランジスタＴｒ１３のソース端子（接点Ｎ１２；キャパシタＣｓの他端側）とデータラインＤＬとの電気的な接続も遮断される。ここで、直前に上述した発光動作が実行されていた場合には、キャパシタＣｓには、当該発光動作に先立って実行された書込動作において蓄積された電荷が保持される。
【００６６】
このように、接点Ｎ１１及びＮ１２間（駆動制御トランジスタのＴｒ１３のゲート−ソース間；キャパシタＣｓの両端）の電位差が保持されることになり、駆動制御トランジスタＴｒ１３はオン状態を維持する。一方、電源ラインＶＬには、共通電圧Ｖcom（接地電位Ｖgnd）よりも高電位で、ハイレベルの電源電圧Ｖhighより低い電位の、中間レベルの電源電圧Ｖmidが印加されて、有機ＥＬ素子ＯＬＥＤのアノード端子（接点Ｎ１２）に印加される電位はカソード端子の電位（接地電位）よりも高くなる。したがって、図８に示すように、電源ラインＶＬから駆動制御トランジスタＴｒ１３、接点Ｎ１２を介して、有機ＥＬ素子ＯＬＥＤに順バイアス方向に所定の中間発光駆動電流Ｉｃが流れて、有機ＥＬ素子ＯＬＥＤが中間発光動作するが、後述するように、電源ラインＶＬには中間レベルの電源電圧Ｖmidが印加されて、駆動制御トランジスタＴｒ１３が線形領域で動作するように設定されていることにより、中間発光駆動電流Ｉｃの電流値は発光駆動電流Ｉｂの電流値より小さい値に設定され、これにより、中間発光動作時の有機ＥＬ素子ＯＬＥＤの発光輝度は、書込動作期間Ｔwrtに当該表示画素ＥＭに書き込まれた階調電圧Ｖdataに対応した発光輝度、すなわち発光動作時の発光輝度より低くなる。
【００６７】
ここで、発光動作時の各表示画素ＥＭの有機ＥＬ素子ＯＬＥＤの発光輝度は、表示データに応じて設定されるものであるから、各表示画素の発光輝度は一様ではない。しかしながら、隣接する行において発光輝度が大きく異なることは希であるから、殆どの場合において、中間発光動作に設定される指定ラインの表示画素ＥＭの発光輝度は、隣接する発光動作状態に設定される行の表示画素ＥＭの発光輝度より低くなり、隣接する表示動作状態の行より暗くなる。
【００６８】
図９に示す実線ＳＰｅ２は、電源ラインＶＬに中間レベルの電源電圧Ｖmidが印加されているときの、有機ＥＬ素子ＯＬＥＤの負荷線を示し、電源ラインＶＬと有機ＥＬ素子ＯＬＥＤのカソード端子間の電位差、すなわちＶmid−Ｖcomの値を基準として、有機ＥＬ素子ＯＬＥＤの駆動電圧Ｖoledに対するＯＬＥＤ駆動電流Ｉoled特性が逆向きにプロットされたものである。中間発光動作時の駆動制御トランジスタＴｒ１３の動作点は、駆動制御トランジスタＴｒ１３の特性線ＳＰｈと有機ＥＬ素子ＯＬＥＤの負荷線ＳＰｅ２の交点であるＰＭｅ２になる。このとき、図９に示すように、動作点ＰＭｅ２において、駆動トランジスタＴ１のソース−ドレイン間に、発光動作時に印加される電圧Ｖdsより小さい電圧Ｖds２が印加され、有機ＥＬ素子ＯＬＥＤのアノード・カソード間には駆動電圧Ｖoled２が印加される。ここで、動作点ＰＭｅは特性線上の線形領域内にあるように設定される。このため、このときに駆動制御トランジスタＴｒ１３のドレイン−ソース間に流れる電流Ｉdsは発光動作時に流れる電流より小さくなり、この中間発光動作時に有機ＥＬ素子ＯＬＥＤに供給される駆動電流Ｉｃの電流値は、発光動作時に供給される駆動電流Ｉｂの電流値より小さくなる。これにより、中間発光動作時の有機ＥＬ素子ＯＬＥＤの発光輝度は、当該表示画素ＥＭに書き込まれた階調電圧Ｖdataに対応した発光輝度よりも低い発光輝度となる。
【００６９】
＜表示装置の表示駆動方法＞
次に、本実施形態に係る表示装置における表示駆動方法（画像情報の表示動作）について説明する。
図１０は、本実施形態に係る表示装置の表示駆動方法の一例を示すタイミングチャートであり、図１１は、本実施形態に係る表示装置の表示駆動方法を説明するための動作概念図ある。
【００７０】
本実施形態に係る表示装置１００の表示駆動方法は、表示パネル１１０に配列された各行の表示画素ＥＭ（画素駆動回路ＤＣ）を順次選択状態として、表示データに応じた階調電圧Ｖdataを書き込む動作を全行について順次繰り返し、当該書込動作が実行される行（書込ライン）を非発光動作状態とし、書込ラインに隣接する行（指定ライン）の表示画素ＥＭを中間発光動作状態とするとともに、これら以外の他の行の表示画素ＥＭをすでに書き込まれた表示データ（階調電圧Ｖdata）に応じた所定の輝度階調で発光する発光動作状態とすることにより、表示パネル１１０一画面分の画像情報を表示する。
【００７１】
本実施形態に係る表示駆動方法は、具体的には図１０に示すように、１フレーム期間Ｔfr内の各行の選択期間（＝書込動作期間Ｔwrt）において、選択ドライバ１２０から表示パネル１１０の、例えばｉ行目（１≦ｉ≦ｎ）の選択ラインＳＬｉ１に対して、選択レベル（ハイレベル）の選択信号Ｖselを印加することにより、ｉ行目の表示画素ＥＭを選択状態に設定する。そして、図６（ａ）に示したように、この選択状態とされるタイミングに同期して、データドライバ１４０から表示データに応じた電圧値を有する階調電圧Ｖdataを、各データラインＤＬに供給することにより、ｉ行目の表示画素ＥＭの画素駆動回路ＤＣに設けられた駆動制御トランジスタＴｒ１３のゲート−ソース端子間（キャパシタＣｓの両端）に、階調電圧Ｖdataに応じた書込電流Ｉａに対応する電圧成分が保持（電荷が蓄積）される。また、ｉ行目の表示画素ＥＭに対する書込動作期間Ｔwrtにおいて、書込動作が行われているｉ行目の電源ラインＶＬｉに対して、電源ドライバ１３０によりローレベルの電源電圧Ｖsc（＝Ｖlow）が印加されて、ｉ行目の表示画素ＥＭにおいて有機ＥＬ素子ＯＬＥＤは非発光動作状態に設定される。
【００７２】
また、図１０に示すように、上記選択期間において、書込動作が実行されるｉ行目に隣接するｉ−１行目及びｉ＋１行目（ｉ＝１のときは２行目及びｎ行目、ｉ＝ｎのときは１行目及びｎ―１行目）の各表示画素ＥＭは、図６（ｂ）に示した中間発光動作期間Ｔmemとされ、非選択レベル（ローレベル）の選択信号Ｖselが印加されて非選択状態に設定されて、データドライバ１４０から各データラインＤＬへの階調電圧Ｖdataの印加が遮断される。そして、対応する行の電源ラインＶＬｉ−１及びＶＬｉ＋１に対して、電源ドライバ１３０により中間レベルの電源電圧Ｖsc（＝Ｖmid）が印加されて、当該行の表示画素ＥＭにおける有機ＥＬ素子ＯＬＥＤは、発光輝度が階調電圧Ｖdataに対応した輝度より低い輝度とされた、中間発光動作状態に設定される。
【００７３】
次いで、図１０に示すように、書込動作期間Ｔwrt終了後、中間発光動作期間Ｔmemを経た後の期間は図６（ａ）、（ｂ）に示した発光動作期間Ｔemとされ、選択ドライバ１２０から当該ｉ行の選択ラインＳＬｉに対して、非選択レベル（ローレベル）の選択信号Ｖselを印加することにより、当該ｉ行の表示画素ＥＭは非選択状態に設定されて、データドライバ１４０から各データラインＤＬへの階調電圧Ｖdataの印加が遮断される。
【００７４】
そして、この発光動作期間Ｔemにおいて、電源ドライバ１３０から当該ｉ行の電源ラインＶＬに対して、ハイレベルの電源電圧Ｖsc（＝Ｖhigh）が印加されることにより、ｉ行の各表示画素ＥＭ（駆動制御トランジスタＴｒ１３のゲート−ソース間）に充電された電圧成分に基づいて、表示データ（階調電圧Ｖdata）に応じた発光駆動電流Ｉｂが有機ＥＬ素子ＯＬＥＤに供給されて、階調電圧Ｖdataに対応した輝度階調での発光動作が行われる。このような発光動作は、当該ｉ行についての次の書込動作、又は、中間発光動作の開始タイミングまで継続して実行される。
【００７５】
そして、上述したような表示駆動動作を表示パネル１１０の全行について順次繰り返し実行するとともに、発光動作を各行の表示画素ＥＭ間で一部時間的に重なるように設定することにより、図１１に示す動作概念図のように、書込動作を実行する行（書込ライン）が非発光動作状態に設定され、当該行に隣接する上下の行（指定ライン）が中間発光動作状態に設定され、書込動作が順次次の行に移行することに伴って、非発光動作状態に設定される書込ラインと中間発光動作状態に設定される指定ラインが、発光動作状態に設定された表示パネル１１０の表示領域内を順次下方に移動するように制御される（図１０（ｂ）〜（ｋ）参照）。また、書込動作が実行される書込ラインが表示領域の最上行の１行目である場合は、図１１（ａ）に示すように、指定ラインは２行目のみに設定され、書込動作が実行される書込ラインが、表示領域の最下行のｎ行目である場合には、図１０（ｌ）に示すように、指定ラインはｎ―１行目のみに設定されるように制御される。
【００７６】
本実施形態における表示装置の表示駆動方法によれば、書込ラインが非発光動作状態（非表示動作状態）に設定されことにより、１フレーム期間のうち、一定期間のみ表示データに応じた輝度階調で発光動作する擬似インパルス型の表示駆動制御を実現することができるとともに、非発光動作状態に設定される書込ラインと発光動作状態（表示動作状態）に設定される領域との間に中間発光動作状態（中間表示動作状態）に設定される指定ラインが設けられ、この中間発光動作状態に設定される指定ラインは、殆どの場合に隣接する発光動作状態の行の発光輝度より低い発光輝度に設定されるため、人間の視線が素早く移動した場合等においても、非発光動作状態に設定される書込ラインが目立ち難く、視認され難くすることができる。
【００７７】
したがって、非発光動作状態に設定される書込ラインが視認され難い画像表示を実現することができて、例えばフレーム周波数を一般的な６０Ｈｚ以上の高い値から３０Ｈｚ程度の低い値に設定した場合であっても、非発光動作状態に設定される書込ラインが視認され難いために表示品位の低下を抑えることができて、フレーム周波数を比較的低く設定して、表示装置に適用するドライバ（表示駆動装置）の消費電力を低減させることができるとともに、ドライバのコストを低減することができ、また、ドライバを比較的小さくすることができて、表示パネルの仕様の自由度を向上させることができる。
【００７８】
＜第２の実施形態＞
次に、本発明に係る表示装置の第２の実施形態について説明する。
上述した第１の実施形態においては、表示パネルの各行の表示画素への書込動作を実行する際に、当該書込動作が実行される行（書込ライン）を非発光動作状態に設定し、書込ラインに隣接する行（指定ライン）の表示画素を中間発光状態に設定する場合について説明したが、第２の実施形態においては、複数の行を有する表示パネルが、連続する所定の数の行の表示画素ごとにグループ分けされ、当該書込動作が実行される行（書込ライン）を含むグループ（以下、便宜的に「書込グループ」と記す）を非発光動作状態に設定するとともに、書込グループに隣接するからグループ（以下、便宜的に「指定グループ」と記す）の表示画素を中間発光動作状態に設定するように制御される。
【００７９】
＜表示装置＞
まず、本実施形態に係る表示装置の概略構成について、図面を参照して説明する。
図１２は、第２の実施形態に係る表示装置に適用される表示パネル及びその周辺回路（選択ドライバ、データドライバ、電源ドライバ）の一例を示す要部構成図である。ここで、上述した第１の実施形態と同等の構成については同一の符号を付してその説明を簡略化又は省略する。
【００８０】
図１２に示すように、本実施形態に係る表示装置１００においては、表示パネル１１０の行、列方向に２次元配列された複数の表示画素ＥＭが、所定の数の行（本実施形態においては、２０行とする）ごとにグループ分けされ、後述する表示駆動方法に示すように、書込動作が実行される行（書込ライン）が含まれるグループ（書込グループ）に含まれる全ての行に対応する領域（書込領域）の表示画素ＥＭが非表示動作状態（非発光動作状態）に設定されるとともに、当該書込動作に同期して、当該書込グループに隣接するグループ（指定グループ）に含まれる全ての行に対応する領域（指定領域）の表示画素ＥＭを中間表示動作状態（中間発光動作状態）とし、その他の（書込動作がすでに終了している）グループに含まれる全ての行の表示画素ＥＭを表示動作状態（発光動作状態）に設定するように制御される。
【００８１】
ここで、各グループに含まれる表示画素ＥＭの表示動作状態（発光動作状態）、中間表示動作状態（中間発光動作状態）、及び、非表示動作状態（非発光動作状態）は、各グループに含まれる全ての行の表示画素ＥＭに対して供給される電源電圧Ｖscを、上記ハイレベルの電源電圧Ｖhigh、中間レベルの電源電圧Ｖmid、又は、ローレベルの電源電圧Ｖlowに切り換えることにより設定される。そのため、本実施形態に適用される表示パネル１１０においては、単一の電源ライン（電源線）ＶＬが１つのグループ内の全ての行に対応する電源ライン（例えば、ＶＬ１〜ＶＬ２０）に分岐して配設され、後述する電源ドライバ１３０（出力回路部１３２）から出力される電源電圧Ｖscがグループ内の全ての表示画素ＥＭに対して、同時に共通して印加される。
【００８２】
また、本実施形態に適用される選択ドライバ１２０は、上述した第１の実施形態における選択ドライバ１２０と同等の構成を有するものであって、表示パネル１１０の各行の選択ラインＳＬに順次選択信号Ｖselを印加して、表示パネル１１０の各行の表示画素ＥＭを行ごとに順次選択状態に設定する。
【００８３】
図１３は、本実施形態に係る表示装置に適用される電源ドライバの一例を示す概略構成図である。ここでは、表示パネル１１０に配列された表示画素ＥＭが、例えば２０行ごとに複数のグループに分割され、当該グループがｇ組設定されている場合について説明する。ここでｇは１＜ｇ＜ｎの範囲の整数であって、表示パネル１１０において、各グループが少なくとも２本以上の電源ラインＶＬに分岐されているものとする。
【００８４】
電源ドライバ１３０は、表示パネル１１０に２次元配列された複数の表示画素ＥＭのうち、上記選択ドライバ１２０により選択状態に設定される行を含む書込グループの表示画素ＥＭに対して、当該各グループに配設された電源ラインＶＬ（例えば、ＶＬ１〜ＶＬ２０）を介してローレベルの電源電圧Ｖsc（＝Ｖlow）を印加し、当該書込グループに隣接する指定グループの表示画素ＥＭに対して、当該各グループに分岐して配設された電源ラインＶＬを介して中間レベルの電源電圧Ｖsc（＝Ｖmid）を印加し、これら以外のグループの表示画素ＥＭに対して、当該各グループに分岐して配設された電源ラインＶＬを介してハイレベルの電源電圧Ｖsc（＝Ｖhigh）を印加する動作を、表示パネル１１０の各グループに対して順次実行する。
【００８５】
これにより、書込グループの全ての表示画素ＥＭに分岐して配設された各電源ラインＶＬを介して、ローレベルの電源電圧Ｖsc（＝Ｖlow）が印加されて非発光動作状態（非表示動作状態）に設定され、当該書込グループに隣接する指定グループに分岐して配設された各電源ラインＶＬを介して、中間レベルの電源電圧Ｖsc（＝Ｖmid）が印加されて中間発光動作状態（中間表示動作状態）に設定され、これら以外の（書込動作が終了した）グループの表示画素ＥＭに対して、各グループに対応して分岐して配設された各電源ラインＶＬを介してハイレベルの電源電圧Ｖsc（＝Ｖhigh）が印加されて発光動作状態（階調表示動作状態）に設定される。
【００８６】
ここで、電源ドライバ１３０は、上述した第１の実施形態と同等の構成を有して、シフトレジスタ回路１３１及び出力回路部１３２を備える。図１３に示すように、シフトレジスタ回路１３１は、表示パネル１１０に設定されるグループの数（ｇ組）に相当するｇ段に構成され、ｇ個のシフト信号を出力する。また、出力回路部１３２は、各グループに対応したｇ個の演算回路１３３と増幅器ＡＰとを有し、出力回路部１３２は、シフト信号が入力信号Ａ、Ｂ、Ｃとして印加され、入力信号に応じて電圧値Ｖhigh、Ｖmid、Ｖlowの何れかの電圧を出力信号Ｖoutとして出力し、増幅器ＡＰは、出力信号Ｖoutを増幅して、出力電圧を、出力制御信号ＶＯＥに応じて各電源ラインＶＬ１〜ＶＬｎに電源電圧Ｖscとして出力する。図１３に示すように、シフトレジスタ回路１３１から出力される１番目のシフト信号は１番目の演算回路１３３に入力信号Ｂとして印加され、２番目の演算回路１３３に入力信号Ａとして印加される。シフトレジスタ回路１３１から出力される２番目のシフト信号は２番目の演算回路１３３に入力信号Ｂとして印加され、１番目の演算回路１３３に入力信号Ｃとして印加され、３番目の演算回路１３３に入力信号Ｂとして印加される。また、シフトレジスタ回路１３１から出力される最終のｎ番目のシフト信号はｎ番目の演算回路１３３に入力信号Ｂとして印加され、ｎ―１番目の演算回路１３３に入力信号Ｃとして印加される。
【００８７】
なお、図１３においては、書込グループに隣接する上下各１つのグループを指定グループとして、対応する領域の表示画素ＥＭに中間レベルの電源電圧Ｖsc（＝Ｖmid）を印加して中間発光動作状態に設定する構成としたが、本発明はこれに限るものではなく、隣接するグループに隣接する２つ状の複数のグループを指定グループとして、対応する領域の表示画素ＥＭに中間レベルの電源電圧Ｖsc（＝Ｖmid）を印加して中間発光動作状態に設定するものであってもよい。
【００８８】
また、図１３においては、表示パネル１１０に設定される各グループに対応して電源ドライバ１３０により生成された電源電圧Ｖscが、表示パネル１１０内で分岐して配設された各電源ラインＶＬを介して、各グループに含まれる全ての行の表示画素ＥＭに同時に印加される場合について説明したが、これに限定されるものではなく、各グループに対応して設けられた増幅器ＡＰの出力（電源電圧Ｖsc）が、電源ドライバ１３０内で表示パネル１１０の各行に対応して分岐されて、表示パネル１１０各行の電源ラインＶＬに接続されるものであってもよい。
【００８９】
なお、図１３に示した構成においては、表示パネル１１０と電源ドライバ１３０とをグループ単位で接続することができるので、相互の接続端子数を大幅に削減することができ、小型化や高精細化された表示パネルに適用可能な電源ドライバを提供することができる。一方、上記後者の構成においては、表示パネル１１０と電源ドライバ１３０とを行単位で接続することができるので、表示パネル１１０内の配線設計等を変更する必要がなく、既存の表示パネル１１０にそのまま適用可能な電源ドライバを提供することができる。
【００９０】
＜表示装置の表示駆動方法＞
次に、本実施形態に係る表示装置における表示駆動方法（画像情報の表示動作）について説明する。
図１４は、本実施形態に係る表示装置の表示駆動方法の一例を示すタイミングチャートであり、図１５は、本実施形態に係る表示装置の表示駆動方法を説明するための動作概念図ある。
【００９１】
本実施形態に係る表示装置１００の表示駆動方法は、表示パネル１１０に配列された各行ごとの表示画素ＥＭ（画素駆動回路ＤＣ）に対して、表示データに応じた階調電圧Ｖdataを書き込む動作を全行について順次繰り返し、当該書込動作が実行される行を含むグループ（書込グループ）に含まれる全ての行の表示画素ＥＭを非発光動作状態とし、当該書込グループに隣接するグループに含まれる全ての行の表示画素ＥＭを中間発光動作状態とするとともに、これら以外の他のグループの表示画素ＥＭをすでに書き込まれた表示データ（階調電圧Ｖdata）に応じた所定の輝度階調で発光動作させることにより、表示パネル１１０一画面分の画像情報が表示される。
【００９２】
本実施形態に係る表示駆動方法は、具体的には図１４に示すように、１フレーム期間Ｔfr内の１走査期間（＝書込動作期間Ｔwrt）において、選択ドライバ１２０から表示パネル１１０の、例えばｉ行目（１≦ｉ≦ｎ）の選択ラインＳＬｉに対して、選択レベル（ハイレベル）の選択信号Ｖselを印加することにより、当該ｉ行の表示画素ＥＭを選択状態に設定する。この選択状態とされるタイミングに同期して、データドライバ１４０から表示データに応じた電圧値を有する階調電圧Ｖdataを、各データラインＤＬに供給することにより、当該ｉ行の各表示画素ＥＭの画素駆動回路ＤＣに設けられた駆動制御トランジスタＴｒ１３のゲート−ソース端子間（キャパシタＣｓの両端）に、階調電圧Ｖdataに応じた書込電流Ｉａに応じた電圧成分が保持（電荷が蓄積）される。ｉ行目に対する書込動作期間Ｔwrt終了後、選択ドライバ１２０から当該ｉ行の選択ラインＳＬに対して、非選択レベル（ローレベル）の選択信号Ｖselを印加して、当該ｉ行の各表示画素ＥＭを非選択状態に設定し、データドライバ１４０から各データラインＤＬへの階調電圧Ｖdataの供給が遮断される。このような各行の表示画素ＥＭに対する書込動作を、書込グループ内の全ての行に対して順次繰り返し実行する。
【００９３】
図１４に示すように、書込動作が行われているｉ行目を含む書込グループを書込グループｍとしたとき、当該書込グループｍに含まれる全ての行に対する書込動作が終了するまでの期間、電源ドライバ１３０より、当該書込グループｍ内の全ての電源ラインＶＬに対して、ローレベルの電源電圧Ｖsc（＝Ｖlow）が印加されて、書込グループｍ内の表示画素ＥＭは非発光動作状態に設定される。また、当該書込グループｍに隣接するグループｍ―１及びグループｍ＋１内の表示画素ＥＭには、非選択レベル（ローレベル）の選択信号Ｖselが印加されて非選択状態に設定され、これらのグループに対応する全ての電源ラインＶＬに対して、中間レベルの電源電圧Ｖsc（＝Ｖmid）が印加されることにより、グループｍ―１及びグループｍ＋１内の表示画素ＥＭは中間発光動作状態に設定される。
【００９４】
次いで、書込グループｍ内の全ての行に対して書込動作が終了し、上記の中間発光動作状態に設定される期間が終了した後の期間において、電源ドライバ１３０から当該書込グループｍ内の全ての電源ラインＶＬに対して、電源ドライバ１３０により、ハイレベルの電源電圧Ｖsc（＝Ｖhigh）が印加されることにより、書込グループｍ内の全ての行の各表示画素ＥＭ（駆動制御トランジスタＴｒ１３のゲート−ソース間）に充電された電圧成分に基づいて、表示データ（階調電圧Ｖdata）に応じた発光駆動電流Ｉｂが有機ＥＬ素子ＯＬＥＤに供給されて、所定の輝度階調で発光動作が行われる。このような発光動作は、当該ｉ行が含まれるグループｍについて次の書込動作、又は、中間発光動作の開始タイミングまで継続して実行される。
【００９５】
そして、上述したような表示駆動動作を表示パネル１１０の全行について、予め設定したグループ単位で順次繰り返し実行するとともに、発光動作を各グループの表示画素ＥＭ間で一部時間的に重なるように設定することにより、図１５に示す動作概念図のように、書込動作を実行する行が含まれる書込グループが非発光動作状態に設定され、当該書込グループに隣接する指定グループが中間発光動作状態に設定され、書込動作が順次次の行に移行し、当該行が含まれるグループが移行することに伴って、非発光動作状態に設定された書込グループと中間発光動作状態に設定される指定グループが、発光動作状態に設定された表示パネル１１０の表示領域内を順次下方に移動するように制御される（図１４（ｂ）〜（ｅ）参照）。また、書込グループが表示領域の最上部の１番目のグループ１である場合は、図１５（ａ）に示すように、指定グループは、２番目のグループ２のみに設定され、書込グループが表示領域の最下部のグループｇである場合には、図１４（ｆ）に示すように、指定グループはグループｇ−１のみに設定されるように制御される。
【００９６】
本実施形態における表示装置の表示駆動方法によれば、書込グループ内の各行の表示画素に書込動作を実行している期間中、当該書込グループに含まれる表示画素（発光素子）が非発光動作状態（非表示動作状態）に設定されることにより、１フレーム期間のうち、一定期間のみ表示データに応じた輝度階調で発光動作する擬似インパルス型の表示駆動制御を実現することができ、上述の第１の実施形態における構成に比べて、非発光動作状態とされる領域を比較的大きくすることができて、動画像の表示品質をより向上させることができる。
【００９７】
更に、本実施形態における表示装置の表示駆動方法においては、非発光動作状態に設定される書込グループと発光動作状態（表示動作状態）に設定される領域との間に中間発光動作状態（中間表示動作状態）に設定される指定グループが設けられ、この中間発光動作状態に設定される指定グループは、殆どの場合に隣接する発光動作状態の行の発光輝度より低い発光輝度に設定されるため、人間の視線が素早く移動した場合等においても、非発光動作状態に設定される書込グループが目立ち難く、視認され難くすることができる。
【００９８】
したがって、本実施形態においても、非発光動作状態に設定される書込グループが視認され難い画像表示を実現することができて、例えばフレーム周波数を一般的な６０Ｈｚ以上の高い値から３０Ｈｚ程度の低い値に設定した場合でも、非発光動作状態に設定される書込グループが視認され難いために表示品位の低下を抑えることができて、フレーム周波数を比較的低く設定して、表示装置に適用するドライバ（表示駆動装置）の消費電力を低減させることができるとともに、ドライバのコストを低減することができ、また、ドライバを比較的小さくすることができて、表示パネルの仕様の自由度を向上させることができる。
【符号の説明】
【００９９】
１００  表示装置
１１０  表示パネル
１２０  選択ドライバ
１３０  電源ドライバ
１４０  データドライバ
１５０  システムコントローラ
ＥＭ  表示画素
ＤＣ  画素駆動回路
ＳＬ  選択ライン
ＶＬ  電源ライン
ＤＬ  データライン
Ｔｒ１１〜Ｔｒ１３  トランジスタ
Ｃｓ  キャパシタ
ＯＬＥＤ  有機ＥＬ素子
【図１】
2010224573.tif 000003
【図２】
2010224573.tif 000004
【図３】
2010224573.tif 000005
【図４】
2010224573.tif 000006
【図５】
2010224573.tif 000007
【図６】
2010224573.tif 000008
【図７】
2010224573.tif 000009
【図８】
2010224573.tif 000010
【図９】
2010224573.tif 000011
【図１０】
2010224573.tif 000012
【図１１】
2010224573.tif 000013
【図１２】
2010224573.tif 000014
【図１３】
2010224573.tif 000015
【図１４】
2010224573.tif 000016
【図１５】
2010224573.tif 000017